(57)【要約】      （修正有）【課題】ケース底と接触せずに置き、パソコンを保護する空間を形成する硬質トランクケースのＰＣ収納構造を提供する。【解決手段】旅行カバンにパソコンを入れる構造で、主に、箱体１０はサーモプラスチックで成形し、箱蓋１２には副蓋１３を設置する。副蓋１３と箱蓋１２の間にはファスナーを設置して連結する他に、連結片を設置して耐久力強度を高め、副蓋１３と蓋の間には内袋２０を設置し、内袋２０は軟性材スポンジの袋片２２、位置限定壁２１から構成され、且つ内袋空間が箱体底部に接触せずに中空状態を形成する。その内容物はサーモプラスチック成型の箱蓋１２に保護される。拠ってパソコンは保護され、また内袋２０と箱蓋１２、副蓋１３間には二個の置物空間が形成され、更に多くの物品置き用仕切り空間が形成される。【選択図】図４
0003182083.tif 000002
【実用新案登録請求の範囲】
【請求項１】
箱体に箱蓋を備える硬質トランクケースのＰＣ収納構造において、
箱蓋と箱体は、第一ファスナーを設置して開閉し、箱蓋は更に副蓋を設置し、副蓋と箱蓋には第二ファスナーを設置して開閉し、物品を置き、箱蓋と副蓋内には内袋を設置し、内袋には第四ファスナーを設置し、内袋の袋底はケース底と接触せず、第四ファスナーを開けることで内袋と箱蓋間の物品を取り出し、内袋は位置限定壁、袋片によって構成され、そこにパソコンを置くことを特徴とする硬質トランクケースのＰＣ収納構造。
【請求項２】
前記内袋の位置限定壁、袋片は、軟性材を備え、設置したパソコンを保護することを特徴とする請求項１記載の硬質トランクケースのＰＣ収納構造。
【請求項３】
前記副蓋と箱蓋の間は、第三ファスナーを設置して内袋と箱蓋間の物品を取り出すことを特徴とする請求項１記載の硬質トランクケースのＰＣ収納構造。
【請求項４】
前記副蓋と箱蓋の間は、連結片を設置して一体に連結することを特徴とする請求項１記載の硬質トランクケースのＰＣ収納構造。
【考案の詳細な説明】
【技術分野】
【０００１】
本考案は、硬質トランクケースのＰＣ収納構造に関するもので、トランクケースに更に多くの物品置き用仕切り空間を備え、ケース底と接触せずに置き、パソコンを保護する空間を形成し、効果を高める。
【背景技術】
【０００２】
公知のトランクケース構造は、図１に示すとおり、箱体１は箱蓋２及び伸縮キャリー桿３を備える。言い換えると、箱蓋２と箱体２間は、一個の大空間の物品納置空間しかない。
【先行技術文献】
【特許文献】
【０００３】
【特許文献１】特開２００２−１７７０３４号公報
【考案の概要】
【考案が解決しようとする課題】
【０００４】
解決しようとする問題点は、一個の物品納置空間しかないため、多種類の物品が一空間内に雑然と置かれ、取り出しが不便である。また、仮に副袋の空間を設置してもケース底と連接しているため、パソコンを納置した時、トランクの移動時にパソコンとケース底が相互にぶつかってしまい、パソコンを保護することができない点である。
【課題を解決するための手段】
【０００５】
本考案は、旅行カバンにパソコンを入れる構造で、主に、箱体はサーモプラスチックで成形し、箱蓋には副蓋を設置する。副蓋と箱蓋の間にはファスナーを設置して連結する他に、連結片を設置して耐久力強度を高め、副蓋と蓋の間には内袋を設置し、内袋は軟性材スポンジの袋片、位置限定壁から構成され、且つ内袋空間が箱体底部に接触せずに中空状態を形成する。その内容物はサーモプラスチック成型の箱蓋に保護される。拠ってパソコンは保護され、また内袋と箱蓋、副蓋間には二個の置物空間が形成され、更に多くの物品置き用仕切り空間が形成されることを最も主要な特徴とする。
【考案の効果】
【０００６】
本考案の硬質トランクケースのＰＣ収納構造は、ケース底と接触せずに置き、パソコンを保護する空間を形成するという利点がある。
【図面の簡単な説明】
【０００７】
【図１】公知の立体図である。
【図２】本考案の局部分解立体図である。
【図３】本考案の組立立体図である。
【図４】本考案の使用状態断面図である。
【図５】本考案のハンドルを加えた実施例図である。
【考案を実施するための形態】
【０００８】
本考案は、上述公知の欠点を改善するもので、主に、箱蓋に副蓋を設置し、箱蓋と副蓋の間には内袋を設置し、内袋底部はケース底と直接ぶつからない。且つ内袋と副蓋、箱蓋の間には二個の空間に物置形成し、物品置き用仕切り空間が増える。また内袋は軟材質の位置限定片、袋片から構成され、そこにパソコンを入れることで、パソコンがぶつからない効果を備えることを本考案の目的とする。
【実施例】
【０００９】
図２、３、４に示すとおり、箱体１０は箱蓋１２を備え、箱体１０と箱蓋１２は第一ファスナー１１を設置して開閉する。箱蓋１２には更に副蓋１３を設置し、箱蓋１２と副蓋１３の間には連結片１５を設置して連結し、第二ファスナー１４を設置して開閉する。箱蓋１２と副蓋１３内には内袋２０を設置し、内袋２０の袋底２０１はケース底と触れずに中空状態を形成する。内袋２０と箱蓋１２内には第三ファスナー２３を設置し、内袋２０上には第四ファスナー３１を設置する。第三ファスナー２３もしくは第四ファスナー３１を開けて内袋２０と箱蓋１２間の物品を取り出す。内袋２０は位置限定壁２１、袋片２２を設置して構成し、そこにパソコン２４を収納し、位置限定壁２１、袋片２２内には軟性材スポンジ２１０を設置することで、パソコン２４を保護する効果を高める。
【００１０】
他に、図５に示すとおり、箱体１０の側辺にハンドル２５を設置し、手で持ちやすくする。
【００１１】
上述の構造に基づき、以下の効果を備える。
図２に示すとおり、箱体１０と箱蓋１２間に第一空間を設置してそこに物品を置く。内袋２０と箱蓋１２間には第二空間を形成して内袋２０と副蓋１３の間に第三空間を形成する。それにより、三個の物品置き空間を備え、且つ箱体１０を開くことなく、副蓋１３(図３参照)を開けるだけで物品を取り出すことができる。
【００１２】
図４に示すとおり、内袋２０内にパソコン２４を入れ、パソコン２４は内袋２０の位置限定壁２１、袋片２２のスポンジ２１０によって覆われ、また内袋２０の袋底２０１はケース底と接触せずに中空状態を形成する。そのため、内容物は箱蓋によって完全に保護され、良好な防振、保護効果を備え、旅行中のカバン搬送時に、パソコンを入れることができ、パソコンを手荷物に持たなくても良い。
【００１３】
上述に示すとおり、本考案の装置、構造は確かに良好な実用性及び効果を高めることができるため、実用新案登録の条件に符合する。
【符号の説明】
【００１４】
１        箱体
１０        箱体
１１        第一ファスナー
１２        箱蓋
１３        副蓋
１４        第二ファスナー
１５        連結片
２        箱蓋
２０        内袋
２０１        袋底
２１        位置限定壁
２１０        スポンジ
２２        袋片
２３        第三ファスナー
２４        パソコン
２５        ハンドル
３        伸縮キャリー桿
３１        第四ファスナー
【図１】
0003182083.tif 000003
【図２】
0003182083.tif 000004
【図３】
0003182083.tif 000005
【図４】
0003182083.tif 000006
【図５】
0003182083.tif 000007